(57)【要約】【課題】船舶の操船性、燃費、バランスが悪く、また、スピードや整備容易性を向上させる余地があった。【解決手段】  船外機または船内外機において一つのエンジンから生み出される動力をメインドライブシャフトの左右方向へと夫々に伝達し、最終的には、メインドライブシャフトを中心として左右略均等の距離において夫々に進行方向を向いた右プロペラと左プロペラとを回転させ、かつ、プロペラの正回転、逆回転、無回転といった回転状況について左右個別の制御を可能とする左右のシフトカムアッセンブリを備えるとした。【選択図】  図２
2006205990.tif 000002
【特許請求の範囲】
【請求項１】
所定の動力を受けて回転するメインドライブ軸から、当該メインドライブ軸に対する複数方向に動力を伝達し、この伝達された各動力によって同複数方向に夫々に設けたサブドライブ軸を回転させる動力伝達機構と、
各サブドライブ軸における動力を、各サブドライブ軸毎に対応させて設けたプロペラ軸およびプロペラに伝達することによって各プロペラを夫々に回転させるプロペラ回転機構と、
プロペラの回転状況を各プロペラ毎に独立して制御するシフトコントローラとを備えることを特徴とする船舶推進構造。
【請求項２】
上記メインドライブ軸の所定位置と、各サブドライブ軸におけるメインドライブ軸に接近する各位置とには夫々にベベルギヤが設けられ、各サブドライブ軸のベベルギヤはメインドライブ軸のベベルギヤに対して夫々に螺合していることを特徴とする請求項１に記載の船舶推進構造。
【請求項３】
上記プロペラは、メインドライブ軸の左右であってメインドライブ軸から略同一距離を保った位置において夫々のプロペラ軸を略平行とした状態で二つ設けられ、かつ前進のための正回転の方向が互いに逆であることを特徴とする請求項１または請求項２に記載の船舶推進構造。
【請求項４】
対応し合うサブドライブ軸とプロペラ軸との間にはプロペラを正回転させるための前進ギヤとプロペラを逆回転させるための後進ギヤとが介在し、上記シフトコントローラは、前進ギヤと後進ギヤとのいずれかを有効にし、あるいはいずれも無効にする切り替えを実行可能であることを特徴とする請求項１〜請求項３のいずれかに記載の船舶推進構造。
【請求項５】
所定の動力を生み出す単エンジンと、当該単エンジンが生み出す動力によって回転するメインドライブ軸から当該メインドライブ軸に対する複数方向に動力を伝達し、この伝達された各動力によって同複数方向に夫々に設けたサブドライブ軸を回転させる動力伝達機構と、各サブドライブ軸における動力を各サブドライブ軸毎に対応させて設けたプロペラ軸およびプロペラに伝達することによって各プロペラを夫々に回転させるプロペラ回転機構と、プロペラの回転状況を各プロペラ毎に独立して制御するシフトコントローラとを備えることを特徴とする船舶駆動装置。
【発明の詳細な説明】
【技術分野】
【０００１】
本発明は、複数のプロペラを用いて船舶を推進させる船舶推進構造および船舶駆動装置に関する。
【背景技術】
【０００２】
従来より、ボート等の船舶を推進させる場合に操船性の向上等を図るため、単エンジンと当該エンジンによって稼動するプロペラとを備えるいわゆる船外機や船内外機を、船舶後部の所定位置に二台設置する手法が採られていた。
【０００３】
また、従来技術として、一本のプロペラ軸上にタンデムプロペラを構成する前後二枚のプロペラを取り付けたタンデムプロペラ取付構造が知られている（例えば、特許文献１参照。）。
同様に、一本のシャフト上に複数のスクリューを取り付けた構成が知られている（例えば、特許文献２参照。）。
【特許文献１】特開平５‐５８３８９号公報
【特許文献２】実開昭５８‐４０４９８号公報
【発明の開示】
【発明が解決しようとする課題】
【０００４】
これまでのように船舶に船外機等を二つ設置した場合、二つのエンジンを稼動させるための燃費の増大や、船舶後部の重量増による船舶のバランス悪化や、整備費用の増加という問題が生じていた。
また、従来文献のように、一本のプロペラ軸上に複数のプロペラを取り付ける構造においては、船舶の方向転換は舵に頼ることになるため細かな操船が難しく、例えば狭いハーバー内で船舶の方向を操作する場合などに高度な操船技術を必要としていた。
【０００５】
本発明は上記課題に鑑みてなされたもので、方向転換やその場回頭といった操船が容易であり、走行中の船舶のバランスが安定し、かつ駆動に要する燃費および整備負担を軽減することの可能な船舶推進構造および船舶駆動装置を提供することを目的とする。
【課題を解決するための手段】
【０００６】
上記目的を達成するため、請求項１の船舶推進構造の発明は、所定の動力を受けて回転するメインドライブ軸から、当該メインドライブ軸に対する複数方向に動力を伝達し、この伝達された各動力によって同複数方向に夫々に設けたサブドライブ軸を回転させる動力伝達機構と、各サブドライブ軸における動力を、各サブドライブ軸毎に対応させて設けたプロペラ軸およびプロペラに伝達することによって各プロペラを夫々に回転させるプロペラ回転機構と、プロペラの回転状況を各プロペラ毎に独立して制御するシフトコントローラとを備える構成としてある。
【０００７】
上記のように構成した請求項１の発明においては、動力伝達機構では、所定の動力を受けて回転するメインドライブ軸から、メインドライブ軸に対する複数方向に動力を伝達し、この伝達された各動力によって同複数方向に夫々に設けたサブドライブ軸を回転させる。そして、プロペラ回転機構では、各サブドライブ軸における動力を各サブドライブ軸毎に対応させて設けたプロペラ軸およびプロペラに伝達することによって、各プロペラを夫々に回転させる。また、シフトコントローラは、プロペラの回転状況を各プロペラ毎に独立して制御する。
【０００８】
つまり、本発明においては、プロペラおよびプロペラ軸の組が複数あり、メインドライブ軸における動力が、各組に対応しているサブドライブ軸を介して伝達されるため、元の動力を発生させるエンジンは一つでよい。また、プロペラは同一軸上ではなく互いに異なる位置に設置されているため、各プロペラ毎にその回転状況を制御することで、舵きりに頼らずに容易に方向転換等の操船を行うことができる。
【０００９】
請求項２の発明は、請求項１に記載の船舶推進構造において、上記メインドライブ軸の所定位置と、各サブドライブ軸におけるメインドライブ軸に接近する各位置とには夫々にベベルギヤが設けられ、各サブドライブ軸のベベルギヤはメインドライブ軸のベベルギヤに対して夫々に螺合している構成としてある。
【００１０】
つまり、メインドライブ軸と各サブドライブ軸との間を夫々にベベルギヤによって接続すれば、メインドライブ軸における回転力を各サブドライブ軸に確実に伝達することができる。その結果、各サブドライブ軸から対応するプロペラ軸及びプロペラに動力が伝達される。より具体的には、メインドライブ軸の端部には一つのベベルギヤを、当該端部に対して接近する各サブドライブ軸の端部には夫々にベベルギヤを設け、各サブドライブ軸のベベルギヤをメインドライブ軸の共通のベベルギヤに対して夫々に螺合する構成が考えられる。
【００１１】
船舶のバランスや操船性を考えると、プロペラはドライブ軸を中心として左右対称の位置に設置されることが望ましい。そこで、請求項３の発明は、請求項１または請求項２に記載の船舶推進構造において、上記プロペラは、メインドライブ軸の左右であってメインドライブ軸から略同一距離を保った位置において夫々のプロペラ軸を略平行とした状態で二つ設けられる構成としてある。また、二つのプロペラは、前進のための正回転の方向が互いに逆である。
【００１２】
その結果、二つのプロペラの正回転、逆回転、無回転の選択を夫々コントロールすることで、プロペラの推進力によって方向転換やその場回頭といった操船ができ、操船性が向上する。また、一般にプロペラを回転させるときのトルクによって走行中の船舶が傾斜することがあるが、本発明においては、直進時には各プロペラを回転させるトルクが互いに逆方向にかかるために、船舶の傾斜が打ち消され、直進時のバランスが安定する。
【００１３】
請求項４の発明は、請求項１〜請求項３のいずれかに記載の船舶推進構造において、対応し合うサブドライブ軸とプロペラ軸との間にはプロペラを正回転させるための前進ギヤとプロペラを逆回転させるための後進ギヤとが介在し、上記シフトコントローラは、前進ギヤと後進ギヤとの一方を有効にし、あるいはいずれも無効にする切り替えを実行可能である構成としてある。
【００１４】
上記のように構成した請求項４の発明においては、シフトコントローラは、サブドライブ軸とプロペラ軸との各組において夫々介在させてある前進ギヤと後進ギヤとを、一方を有効に、またはいずれも無効する切り替えを実行することによって、各プロペラ毎のの回転状況を制御する。かかる構成によれば、各プロペラの正回転、逆回転、無回転の選択を容易にコントロールすることができる。
【００１５】
これまでは、供給された動力を各プロペラへと伝達し、かつ各プロペラの回転状況を制御するという視点で発明を説明したが、本発明にかかる技術的思想はエンジンを含む船舶駆動装置としても実現される。
【００１６】
そこで、請求項５の発明は、所定の動力を生み出す単エンジンと、当該単エンジンが生み出す動力によって回転するメインドライブ軸から当該メインドライブ軸に対する複数方向に動力を伝達し、この伝達された各動力によって同複数方向に夫々に設けたサブドライブ軸を回転させる動力伝達機構と、各サブドライブ軸における動力を各サブドライブ軸毎に対応させて設けたプロペラ軸およびプロペラに伝達することによって各プロペラを夫々に回転させるプロペラ回転機構と、プロペラの回転状況を各プロペラ毎に独立して制御するシフトコントローラとを備える構成としてある。
【００１７】
かかる構成においては、上記請求項１の発明と同様の作用及び効果を発揮する。特に、プロペラの数にかかわらず搭載するエンジンは一つであるため、エンジンを夫々に有する船外機等を船舶に複数搭載して各プロペラを回転させていた場合と比較して、燃料の低減および船舶のバランスの安定および整備負担の軽減といった点が優れている。
【発明の効果】
【００１８】
以上説明したように、本発明によれば、一本のメインドライブ軸に供給された動力を、別々のプロペラ軸に伝達して各プロペラを回転させ、かつ各プロペラ毎の回転状況を個別にコントロールするため、搭載するエンジンは一つで済み、船舶の操船性とバランスとが向上し、かつ船舶の駆動に要する燃費および整備負担を低減することができる。
【発明を実施するための最良の形態】
【００１９】
本発明の実施形態について、以下の順序に従って説明する。
（１）第一の実施形態
（２）第二の実施形態
（３）まとめ
【００２０】
（１）第一の実施形態
図１は、本発明の船舶駆動装置に相当する船外機の外観を、簡略的に斜視図により示している。
船外機１００は、ボート等の船舶後方においてその縦の中心線が船舶の長手方向の中心位置に合うようにバランスを取って設置され、そのプロペラを回転させることで船舶の水上走行を実現する。船外機１００の外観は、概略上から、トップカウリング１０と、アッパーケーシング２０と、ロアケーシング３０と、ロアケーシング３０の下方両端において外部に露出する二つの右プロペラ６１と左プロペラ６２とから構成される。
【００２１】
船外機１００内部においては、トップカウリング１０に一つのエンジン１１を始め、スタータモータ等を含むパワーユニットが内蔵され、トップカウリング１０からアッパーケーシング２０を通過してロアケーシング３０にかけては、上記エンジン１１と接続するメインドライブシャフト４０が支持されている。なお、エンジン１１としては、２サイクルまたは４サイクルのガソリンエンジンや、ディーゼルエンジンなど、種々のエンジンを適用できる。また、燃料タンクやバッテリは、船外機１００の馬力の程度によって、トップカウリング１０に内蔵されたり、別途、船舶の所定位置に設置されたりする。
その他にも、船外機１００内部には、図示しない冷却装置や、吸排気装置や、潤滑装置等が内蔵される。
【００２２】
図２は、ロアケーシング３０を中心として船外機１００の内部構造などを正面図により示している。同図においては、ロアケーシング３０と右プロペラ６１と左プロペラ６２とを二点鎖線により示している。
本実施形態においては、正面とは図１の後進側から船外機１００に対面したときに向き合う面を言うものとし、左右についても、この正面に対する左右を言うものとする。
同図に示すように、ロアケーシング３０内の略中心には、メインドライブシャフト４０が鉛直方向に支持されており、当該メインドライブシャフト４０は、エンジン１１が生み出す動力を受けて一定方向に回転する。
【００２３】
メインドライブシャフト４０の下端付近からは、右に向かってサブドライブシャフト４１が、左に向かってサブドライブシャフト４２が夫々に略水平に支持されている。サブドライブシャフト４１とサブドライブシャフト４２とは同じ長さに設計してある。
サブドライブシャフト４１のメインドライブシャフト４０と接近する端部とは逆の端部付近には、右プロペラ６１を回転させるためのプロペラシャフト７１が、サブドライブシャフト４２のメインドライブシャフト４０と接近する端部とは逆の端部付近には、左プロペラ６２を回転させるためのプロペラシャフト７２が、夫々に船舶の進行方向（図１における前進後進の方向）に向かって、略水平に支持されている。つまり、プロペラシャフト７１，７２は互いに略平行に支持されている。
【００２４】
かかる構成においては、エンジン１１によって回転するメインドライブシャフト４０から、左右のサブドライブシャフト４１，４２を介して左右のプロペラシャフト７１，７２へと動力が伝達され、右プロペラ６１と左プロペラ６２とを夫々に回転させることができる。
より詳しく説明すると以下のようになる。メインドライブシャフト４０の下端にはメインドライブシャフト４０とともに回転する傘歯車型であるベベルギヤ４０ａが取り付けられており、左右のサブドライブシャフト４１，４２における当該下端に接近する両端部には、サブドライブシャフト４１とともに回転するベベルギヤ４１ａ、サブドライブシャフト４２とともに回転するベベルギヤ４２ａが、夫々に取り付けられている。
【００２５】
そして、メインドライブシャフト４０のベベルギヤ４０ａは、上記ベベルギヤ４１ａ，４２ａとそれぞれに噛み合わさっている。ここで、噛み合わさったベベルギヤは、異なる方向に支持される二つの回転軸（通常、直交する二つの回転軸）間において動力伝達を実現する。そのため、上記構成とすることで、左右のサブドライブシャフト４１，４２は、夫々独立してメインドライブシャフト４０からの動力伝達を受けて所定方向に回転することになる。ベベルギヤ４０ａとベベルギヤ４１ａ，４２ａとは、これらを合わせてディファレンシャルベベルギヤとも呼べる。
【００２６】
図３は、ロアケーシング３０の下方部分の内部構造などを上面図により示している。ただし、右プロペラ６１と左プロペラ６２とについては断面図により示している。
同図の略中央には、メインドライブシャフト４０下端のベベルギヤ４０ａを二点鎖線により示しており、当該ベベルギヤ４０ａの左右両側において、サブドライブシャフト４１，４２などを図示している。右のサブドライブシャフト４１とプロペラシャフト７１との間には、ピニオンギヤ８１と前進ギヤ７１ａと後進ギヤ７１ｂとが、左のサブドライブシャフト４２とプロペラシャフト７２との間には、ピニオンギヤ８２と前進ギヤ７２ａと後進ギヤ７２ｂが、夫々に介在している。これら各ギヤは、回転するサブドライブシャフト４１，４２の動力をプロペラシャフト７１，７２に伝達して右プロペラ６１、左プロペラ６２を回転させるための役割を果たす。
【００２７】
ここで、メインドライブシャフト４０よりも前進側であって右側には縦シフトロッド５１が、同前進側であって左側には縦シフトロッド５２が夫々に支持されている。縦シフトロッド５１はその下端において、サブドライブシャフト４１と略同じ高さに略水平に支持されている水平シフトロッド５３の端部と接触している。同様に、縦シフトロッド５２はその下端において、サブドライブシャフト４２と略同じ高さに略水平に支持されている水平シフトロッド５４の端部と接触している。なお、水平シフトロッド５３，５４は、サブドライブシャフト４１，４２よりも前進側にあるため、図２では図示していない。
【００２８】
水平シフトロッド５３，５４における縦シフトロッド５１，５２と接触していない側の端部には、夫々にシフトカム５３ａ，５４ａが取り付けられている。すなわち、縦シフトロッド５１と水平シフトロッド５３とシフトカム５３ａとは右用シフトカムアッセンブリを形成し、縦シフトロッド５２と水平シフトロッド５４とシフトカム５４ａとは左用シフトカムアッセンブリを形成する。両シフトカムアッセンブリは、後述するように、右プロペラ６１、左プロペラ６２におけるシフトチェンジを夫々独立して実現するために用いられる。
【００２９】
なお、本実施形態においては、右プロペラ６１と左プロペラ６２として、正回転の方向が互いに逆のものを採用する。正回転とは、前進のためのスラストを得る回転方向である。後進へのスラストを得る回転を逆回転という。つまり、図２に示したように、右プロペラ６１は右回転が正回転となり、左プロペラ６２は左回転が正回転となる。
【００３０】
サブドライブシャフトからプロペラへと動力が伝達される原理について、より詳しく説明する。ここでは、左右のプロペラのうち代表して右プロペラ６１に関する構造を示して説明を行う。
図４は、サブドライブシャフト４１とプロペラシャフト７１との接近部分を断面図により示している。同図においては、見易さのため一部ハッチングを略してある。
ピニオンギヤ８１は、傘歯車型のギヤであって、サブドライブシャフト４１とともに回転している。また、前進ギヤ７１ａおよび後進ギヤ７１ｂは、いずれもピニオンギヤ８１と噛み合った状態であるため、ピニオンギヤ８１が回転している間は同ピニオンギヤ８１からの伝達動力を受けて回転している。むろん、前進ギヤ７１ａは右回転（正回転）しており、後進ギヤ７１ｂは左回転（逆回転）している。
【００３１】
ただし、前進ギヤ７１ａ及び後進ギヤ７１ｂは、後述のドッグクラッチ７１ｅと噛み合っていない状態においては、プロペラシャフト７１上を空転しているだけであり、その回転力をプロペラシャフト７１に伝えることはできない。よって、ドッグクラッチ７１ｅが前進ギヤ７１ａと後進ギヤ７１ｂとのいずれとも噛み合っていない場合は、右プロペラ６１は無回転となる。
【００３２】
プロペラシャフト７１の内部には、シフトプランジャ７１ｃおよびスプリング７１ｄが設けられている。当該シフトプランジャ７１ｃは、スプリング７１ｄによって同図前進方向に付勢されて、前進側および後進側に所定距離だけ移動可能である。そして、ドッグクラッチ７１ｅは、シフトプランジャ７１ｃとともにその位置を変位させることができる。
【００３３】
つまり、シフトプランジャ７１ｃを同図の前進側に変位させれば、これに伴いドッグクラッチ７１ｅが前進ギヤ７１ａと噛み合うため、右回転している前進ギヤ７１ａの回転力がドッグクラッチ７１ｅを介してプロペラシャフト７１に伝わる。その結果、右プロペラ６１は正回転し、前進のスラストが発生する。逆に、シフトプランジャ７１ｃを同図の後進側に変位させるとドッグクラッチ７１ｅが後進ギヤ７１ｂと噛み合うため、右プロペラ６１は逆回転し、後進のスラストが発生する。
正回転、逆回転、中立（無回転）の選択は、水平シフトロッド５３の端部に取り付けたシフトカム５３ａの位置を変位させることにより実現する。
【００３４】
シフトカム５３ａは、先端に近付く程に、同図の前進、後進方向において階段状に幅狭となる形状であり、同方向の幅の異なる部位において接触面５３ａ１，５３ａ２，５３ａ３を夫々に形成している。
つまり、シフトカム５３ａを同図の左右方向に変位させて、最も幅狭な接触面５３ａ３をシフトプランジャ７１の先端に接触させれば、ドッグクラッチ７１ｅは前進ギヤ７１ａに向かって押し出され、右プロペラ６１は正回転する。逆に、最も幅広な接触面５３ａ１をシフトプランジャ７１の先端に接触させれば、ドッグクラッチ７１ｅは後進ギヤ７１ｂに向かって押し込まれ、右プロペラ６１は逆回転する。中立状態は、接触面５３ａ２をシフトプランジャ７１ｃの先端に接触させることで実現できる。
【００３５】
なお、左プロペラ６２を回転させる機構も、基本的には上記説明と同様となる。ただし、左プロペラ６２は左回転が正回転となるため、サブドライブシャフト４２およびピニオンギヤ８２の回転を受けて左回転するギヤが前進ギヤ７２ａとなり、サブドライブシャフト４２およびピニオンギヤ８２の回転を受けて右回転するギヤが後進ギヤ７２ｂとなる。そして、正回転を選択する場合には、ドッグクラッチが前進ギヤ７２ａと噛み合うようにシフトカム５４ａの位置を変位させ、逆回転を選択する場合には、ドッグクラッチが後進ギヤ７２ｂと噛みあうようにシフトカム５４ａを変位させる。
【００３６】
シフトカム５３ａ，５４ａの位置の変位は、船舶の操縦席から遠隔操作により実行可能である。
図５は、船外機１００を搭載した船舶の操縦席に設置したリモートコントロール装置９０を斜視図により示している。同図に示すように、リモートコントロール装置９０には、ボディ９５の両側において、右プロペラ６１のギヤチェンジのためのシフトレバー９１と、左プロペラ６２のギヤチェンジのためのシフトレバー９２とが設けられている。リモートコントロール装置９０の構成としては、例えば機械式リモートコントロールを採用できる。この場合、シフトレバー９１の角度を変化させることで、同シフトレバー９１に対応するケーブル９３がボディ９５側に引張られたり、ボディ９５とは逆方向に押されたりする。
【００３７】
ケーブル９３の他端は上記縦シフトロッド５１の一端に接続しており、ケーブル９３の機械的変位は、縦シフトロッド５１に作用する。すなわち、縦シフトロッド５１は、外部からの制御動作であるシフトレバー９１の角度変化に合わせて上下動し、水平シフトロッド５３およびシフトカム５３ａは、縦シフトロッド５１の上下動に連動して水平方向に変位する。その結果、シフトレバー９１の角度を変化させることでシフトカム５３ａにおけるシフトプランジャ７１ｃに接触する接触面を切り替えることが可能となる。
【００３８】
本実施形態においては、シフトレバー９１の角度を図中の“Ｆ（前進）”方向に倒した場合に、接触面５３ａ３がシフトプランジャ７１ｃに接触して前進ギヤ７１ａがドッグクラッチ７１ｅと噛み合わさり、“Ｒ（後進）”方向に倒した場合に、接触面５３ａ１がシフトプランジャ７１ｃに接触して後進ギヤ７１ｂがドッグクラッチ７１ｅと噛み合わさり、“Ｎ（中立）”の角度に保った場合に、接触面５３ａ２がシフトプランジャ７１ｃに接触してドッグクラッチ７１ｅが前進ギヤ７１ａと後進ギヤ７１ｂとのいずれとも噛み合わなくなるようにする。
【００３９】
上記ギアチェンジを実現するにあたっては、水平シフトロッド５３と接触する縦シフトロッド５１の下端においても、シフトカム５３ａと同様に、先端に近付く程に階段状に幅狭となる形状であって幅の異なる部位において複数の接触面を形成するカム部品を取り付けておく。その結果、縦シフトロッド５１の上下動に伴って、水平シフトロッド５３との接触面が切り替わるため、同上下動に伴って水平シフトロッド５３およびシフトカム５３ａを水平方向に変位させることができる。
【００４０】
シフトレバー９２および左用シフトカムアッセンブリにおいても、基本的には上記と同様の構成を採ることで左プロペラ６２のギアチェンジを実現する。具体的には、シフトレバー９２の角度を“Ｆ”方向に倒した場合に、これに連動してシフトカム５４ａが変位して前進ギヤ７２ａとドッグクラッチが噛み合い、その角度を“Ｒ”方向に倒した場合に、これに連動してシフトカム５４ａが変位して後進ギヤ７２ｂとドッグクラッチが噛み合い、その角度を“Ｎ”に保った場合に、ドッグクラッチが前進ギヤ７２ａと後進ギヤ７２ｂとのいずれとも噛み合わなくなるようにする。
【００４１】
なお、リモートコントロール装置９０としては、上記機械式に限られず、油圧式によるリモートコントロールや電気式によるリモートコントロールを採用することができる。この場合、各シフトレバー９１，９２の角度変化に対応して発生した所定の油圧や電気信号をアクチュエータによって機械的な動きに変換してケーブル９３，９４を所定距離だけ変位させる。
【００４２】
このように、本発明においては、正回転の方向が互いに反対であるプロペラ６１とプロペラ６２との回転状況を各プロペラ毎に制御できる。従って、船舶を前進させたい場合には両プロペラを何れも正回転とすればよいし、後進させたい場合は両プロペラを逆回転とすればよい。また、左右への方向転換は、一方のプロペラを正回転にし他方のプロペラを中立とするか、或いは一方のプロペラを逆回転にし他方のプロペラを中立とすればよく、その場回頭する場合は、一方のプロペラを正回転にし他方のプロペラを逆回転とすればよい。
【００４３】
（２）第二の実施形態 
図６は、本発明の船舶駆動装置に相当する船内外機を、簡略的に一部透視図により示している。
船内外機２００は、上述の船外機１００とは異なり、そのエンジン２３０は船舶３００の内部の所定位置に設置され、プロペラを含むドライブユニットが船外に設置されている。また、船内外機２００も、船外機１００と同様に、船舶後方においてその縦の中心線が船舶３００の長手方向の中心位置に合うようにバランスを取って設置されている。
ここで、第一の実施形態との違いは、メインドライブシャフトの構成にある。
【００４４】
船内外機２００のメインドライブシャフトは、エンジン２３０が生み出す動力を直接に受けて回転する略水平に支持された第一メインドライブシャフト２１０と、第一メインドライブシャフト２１０からの動力を受けて回転する略鉛直方向に支持された第二メインドライブシャフト２２０とからなる。第一メインドライブシャフト２１０と第二メインドライブシャフト２２０とは、互いに接近する端部においてベベルギヤ２１０ａとベベルギヤ２２０ａとを備えており、当該ベベルギヤ２１０ａ，２２０ａ同士を螺合させることで、動力伝達を実現している。
【００４５】
第二メインドライブシャフト２２０から下方の構成は、第一の実施形態の図２〜４に示したメインドライブシャフト４０より下方の構成と同じになる。
すなわち、キャビテーションプレート２４０より下方については内部を図示していないが、同内部においては、第二メインドライブシャフト２２０の下端を中心として、左右方向（図６の紙面に対する垂直方向）に、ディファレンシャルベベルギヤを介在させて二本のサブドライブシャフトが夫々に支持されている。また、各サブドライブシャフトに対応した二本のプロペラシャフトと、各プロペラシャフトの先端に取り付けられた二つのプロペラが存在する。
【００４６】
図６では船内外機２００を真横から見ているため、外部に露出している二つのプロペラのうち紙面の手前側に存在する左プロペラ６２のみを図示している。さらに、図示を略してあるが、船内外機２００内部には、第一の実施形態と同じ構成の右用シフトカムアッセンブリおよび左用シフトカムアッセンブリが備えられており、操縦席に備えたリモートコントロール装置によって両シフトカムアッセンブリを操作することで、右プロペラと左プロペラとの回転状況を独立して制御することができる。
すなわち、本発明の構成は、船内に搭載された一つのエンジンと船外に露出したドライブユニットとからなる船内外機に対しても適用可能である。
【００４７】
なお本発明は、単エンジンが生み出す動力によって左右二つのプロペラを回転させるという視点に立てば、上記船外機１００や船内外機２００としてだけでなく、いわゆるロアケーシングアッセンブリという部品として把握できる。つまり、図１のロアケーシング３０部分や、図６のキャビテーションプレート２４０より下部分といった、メインドライブシャフトの下方部分とこれを中心とした左右の構成を特徴ある部品として把握できる。
【００４８】
上記ロアケーシングアッセンブリは、単エンジンおよび単エンジンと接続した一本のドライブシャフトを備える、従来からの船外機や船内外機に対する取替え部品として有用である。つまり、上記従来からの船外機等の下方部分をロアケーシングアッセンブリと取り替え、左右のシフトカムアッセンブリと操縦席とを接続すれば、船外機等の全体を交換することなく、本発明を用いた操船を少ない手間と工費によって実現できる。
【００４９】
（３）まとめ
このように、本発明によれば、一つのエンジンから生み出される動力を左右方向へと夫々に伝達し、最終的には、船舶の中心から左右略均等の距離において夫々に進行方向を向いた右プロペラと左プロペラとを回転させ、かつ、プロペラの正回転、逆回転、無回転といった回転状況を左右個別に制御可能とした。そのため、各プロペラの回転状況を個別にコントロールすることで方向転換やその場回頭といった動きを正確に実現でき、従来のように熟練を要していた、船舶中心線上の一軸上に設けたプロペラが生み出す推進力と舵切りによる方向転換等と比べて、操船性が格段に向上する。その結果、狭いハーバー内などでの細かな操船も容易となる。
【００５０】
また、プロペラを回転させるトルクにより船舶が左右のいずれかに傾斜することがある。しかし、本発明においては、左右のプロペラはその正回転の方向が反対であるので、各プロペラを回転させるトルクが互いに逆方向となる。その結果、前進または後進する船舶においては、左右の一方に傾斜することが防止されてバランスが取れ、水による無駄な抵抗も受けずに速度が向上する。
【００５１】
さらに、一般にプロペラを水中で高速回転させた場合、回転速度をある値にまで上げるとプロペラ周囲に真空状態が発生し、それ以上は回転速度が上がらなくなる。つまり、プロペラの回転速度を上げることで船舶のスピードを上げようとしても限界がある。しかし、本発明においては、二つのプロペラが生み出す推進力によって船舶を走行させるため、一つのプロペラの回転速度を上限値にまで上げなくともトータルで十分な推進力が得られ、その結果走行スピードが上がる。
【００５２】
さらに、右プロペラおよび左プロペラを単エンジンによって稼動させるとしたため、従来のように単エンジンと一軸上に設けたプロペラがセットになった船外機や船内外機を二つ用いた場合と比較して、以下のような効果がある。
なお、エンジンは単にその台数の多少では種々の効果を比較できないため、以下では、２５０あるいは３００馬力といった大馬力のエンジン一つを用いて本発明にかかる船外機を構成した場合（条件１）と、当該大馬力エンジンの半分の馬力のエンジンを有する従来の船外機を二つ用いた場合（条件２）のように、合計馬力が等しい場合において比較を行う。
【００５３】
まず第一に、条件１においては条件２と比較して船舶の駆動に要する燃料を節約する事ができる。これは、一般に、エンジンの馬力が半分であってもその消費燃料は、馬力が倍であるエンジンの半分にまでは低くならないからである。
同様に、馬力が半分であっても船外機自体の重量は半分にはならない。よって、条件２では船舶後部の重量が増し、そのため一層燃料の消費が速くなる。
【００５４】
第二に、条件１では条件２のような船舶後部の重量化を避けられるため、船舶後部が前部よりも沈んでしまうことによる船舶のバランス悪化、さらに悪化したバランスを修正するために別の対処を要するといった不都合が避けられ、船舶の大馬力化とバランスの安定化との両立が容易である。
【００５５】
第三に、整備負担についても、条件１は条件２と比較して軽減される。これは、馬力が半分のエンジンであっても整備負担まで半分にはならないからである。
【００５６】
第四に、条件１においては、条件２よりも船舶のスピードが向上する。水中では水の抵抗が大きいため、走行スピードを上げるには、大きなトルクによってプロペラを回転させて推進力を得る必要がある。ここで、条件２では各エンジンが低馬力でありトルクも弱いため各プロペラが生み出す推進力も弱いものとなるが、条件１ではエンジンが大馬力であるため各プロペラを大きなトルクによって回転させることができ、その結果、各プロペラにおいて強力な推進力が得られ走行スピードが増す。むろん、条件２よりも船舶全体の重量が軽いという点も、よりスピードを向上させる要因となる。
【図面の簡単な説明】
【００５７】
【図１】本発明にかかる船外機を示した斜視図。
【図２】ロアケーシングの内部構造等を示した正面図。
【図３】ロアケーシングの内部構造等を示した上面図。
【図４】サブドライブシャフトとプロペラシャフトとの接続部分を示した断面図。
【図５】リモートコントロール装置を示した斜視図。
【図６】本発明にかかる船内外機を示した一部透視による側面図。
【符号の説明】
【００５８】
１０…トップカウリング
１１，２３０…エンジン
２０…アッパーケーシング
３０…ロアケーシング
４０…メインドライブシャフト
４０ａ，４１ａ，４２ａ，２１０ａ，２２０ａ…ベベルギヤ
４１，４２…サブドライブシャフト
５１，５２…縦シフトロッド
５３，５４…水平シフトロッド
５３ａ，５４ａ…シフトカム
５３ａ１，５３ａ２，５３ａ３…接触面
６１…右プロペラ
６２…左プロペラ
７１，７２…プロペラシャフト
７１ａ，７２ａ…前進ギヤ
７１ｂ，７２ｂ…後進ギヤ
７１ｃ…シフトプランジャ
７１ｄ…スプリング
７１ｅ…ドッグクラッチ
８１，８２…ピニオンギヤ
９０…リモートコントロール装置
９１，９２…シフトレバー
９３，９４…ケーブル
９５…ボディ
１００…船外機
２００…船内外機
２１０…第一メインドライブシャフト
２２０…第二メインドライブシャフト
２４０…キャビテーションプレート
３００…船舶
【図１】
2006205990.tif 000003
【図２】
2006205990.tif 000004
【図３】
2006205990.tif 000005
【図４】
2006205990.tif 000006
【図５】
2006205990.tif 000007
【図６】
2006205990.tif 000008